(57)【要約】      （修正有）【課題】自動的にゴミ袋を套設し、パッケージするインテリジェントごみ箱を提供する。【解決手段】インテリジェントごみ箱は、ボックス本体、フレームカバー、ボックスカバー、密封機構、第１モータ、第２モータ、制御盤、センサ、スイッチを含み、ボックス本体はフレームカバーに回動設置され、第１モータはフレームカバーを回動させ、ボックスカバーはフレームカバーに回動設置され、第２モータはボックスカバーを駆動し、ごみ袋はフレームカバーに設けられ、袋口がフレームカバーにより支持され、袋体がボックス本体に伸びこむ。密封機構はボックス本体に設けられ、ごみ袋を密封し、密封機構、スイッチ、第１モータ、第２モータ、センサはそれぞれ制御盤に電気接続し、センサは、外界信号を検出し、かつ検出情報を制御盤に伝送し、制御盤は解析後に第２モータに制御指令を送信し、スイッチは制御回路に指令を送信し、制御盤は解析後に密封機構に制御指令を送信し、密封後に制御盤は第１モータに制御指令を送信する。【選択図】図１
0003220441.tif 000002
【実用新案登録請求の範囲】
【請求項１】
インテリジェントごみ箱であって、ボックス本体、フレームカバー、ボックスカバー、密封機構、第１モータ、第２モータ、制御盤、センサ、スイッチを含み、前記ボックス本体はフレームカバーに回動に設置され、第１モータはフレームカバーを駆動して回動させ、ボックスカバーはフレームカバーに回動に設置され、第２モータはボックスカバーを駆動し、ごみ袋はフレームカバーに設けられ、前記ごみ袋は、袋口がフレームカバーにより支持され、袋体がボックス本体内に伸びこみ、前記密封機構はボックス本体に設けられ、ごみ袋を密封し、前記密封機構、スイッチ、第１モータ、第２モータ、センサは、それぞれ制御盤に電気接続し、センサは、外界信号を検出し、かつ検出情報を制御盤に伝送し、制御盤は解析した後に第２モータに制御指令を送信し、トリガスイッチは制御回路に指令を送信し、制御盤は解析した後に密封機構に制御指令を送信し、密封機構は密封した後に、制御盤は第１モータに制御指令を送信することを特徴とするインテリジェントごみ箱。
【請求項２】
前記密封機構は第１ベルト、第３モータ、第２ベルト、第４モータ、横方向レバー、縦方向レバー、第１案内レバー、第２案内レバー、電気加熱部材を含み、前記第３モータ及び第４モータは、それぞれごみ箱に固定して接続し、第１案内レバーは横方向レバーに摺接し、第２案内レバーは縦方向レバーに摺接し、前記第３モータは第１ベルトにより横方向レバーを伝動して第１案内レバーに沿ってリニア移動させ、前記第４モータは第２ベルトにより縦方向レバーを伝動して第２案内レバーに沿ってリニア移動させ、電気加熱部材は横方向レバーや、縦方向レバー、ごみ箱に設けられていることを特徴とする請求項１に記載のインテリジェントごみ箱。
【請求項３】
前記縦方向レバーには摺動溝が設けられ、前記横方向レバーの一端が摺動溝内に設けられていることを特徴とする請求項２に記載のインテリジェントごみ箱。
【請求項４】
前記電気加熱部材は、ボックス本体に設けられ、前記横方向レバーの電気加熱部材に対応する位置には耐熱布が設けられていることを特徴とする請求項３に記載のインテリジェントごみ箱。
【請求項５】
前記横方向レバーの一端には、第１案内レバーを套設するための第１貫通孔が設けられていることを特徴とする請求項２に記載のインテリジェントごみ箱。
【請求項６】
前記縦方向レバーの一端には第２案内レバーを套設するための第２貫通孔が設けられていることを特徴とする請求項２に記載のインテリジェントごみ箱。
【請求項７】
前記横方向レバーには、第１ベルトを取り付けるための係合溝が設けられ、前記第１ベルトには第１鋸歯が設けられ、前記係合溝には第２鋸歯が設けられ、前記第１鋸歯と第２鋸歯とは互いに噛合することを特徴とする請求項２乃至４のいずれか一項に記載のインテリジェントごみ箱。
【請求項８】
前記第３モータの出力軸には、第１鋸歯にマッチングする第３鋸歯が設けられていることを特徴とする請求項７に記載のインテリジェントごみ箱。
【請求項９】
前記縦方向レバーには、第２ベルトを取り付けるための係合溝が設けられ、前記第２ベルトには第４鋸歯が設けられ、前記係合溝には第５鋸歯が設けられ、前記第４鋸歯と第５鋸歯とは互いに噛合することを特徴とする請求項２乃至５のいずれか一項に記載のインテリジェントごみ箱。
【請求項１０】
さらに、マイクロスイッチを含み、前記横方向レバー及び／又は縦方向レバーが移動ストロークにおいてマイクロスイッチに触れることを特徴とする請求項２乃至５のいずれか一項に記載のインテリジェントごみ箱。
【請求項１１】
前記ボックス本体の側壁には通気孔が設けられ、通気孔にはファンが設けられていることを特徴とする請求項２乃至５のいずれか一項に記載のインテリジェントごみ箱。
【請求項１２】
前記ごみ袋は、１つの袋底のみを有し、ごみ袋の側壁が延伸して、フレームに重畳して収容されることを特徴とする請求項１乃至５のいずれか一項に記載のインテリジェントごみ箱。
【考案の詳細な説明】
【技術分野】
【０００１】
本考案は、インテリジェントごみ箱に関し、クリーニング製品の技術分野に属する。
【背景技術】
【０００２】
ごみ箱は、必要な生活用品である。従来のごみ箱は、密封機能を有しておらず、かつ外形が普通であり、スタイルが単一である。ごみを処理するとき、使用者は、まず、ごみ箱にごみ袋が套設され、ごみをごみ袋にいっぱいに入れると、ごみをいっぱいに入れた袋を取り出した後に手動で結び目を作って密封し、該操作において手が袋の内側に接することが避けられず、接触的細菌汚染を引き起こす可能性があり、便利・衛生的ではない。
【考案の概要】
【考案が解決しようとする課題】
【０００３】
本考案は、従来技術の不足を克服して、構成設計が合理であり、自動的にごみ袋を套設し、ごみ袋を自動的にパッケージするインテリジェントごみ箱を提供することを目的とする。
【課題を解決するための手段】
【０００４】
本考案は、上記問題を解決するために、以下の技術を採用する。インテリジェントごみ箱であって、ボックス本体、フレームカバー、ボックスカバー、密封機構、第１モータ、第２モータ、制御盤、センサ、スイッチを含み、前記ボックス本体はフレームカバーに回動に設置され、第１モータはフレームカバーを駆動して回動させ、ボックスカバーはフレームカバーに回動に設置され、第２モータはボックスカバーを駆動し、ごみ袋はフレームカバーに設けられ、前記ごみ袋は、袋口がフレームカバーにより支持され、袋体がボックス本体に伸びこみ、前記密封機構はボックス本体に設けられ、ごみ袋を密封し、前記密封機構、スイッチ、第１モータ、第２モータ、センサは、それぞれ制御盤に電気接続し、センサは、外界信号を検出し、かつ検出情報を制御盤に伝送し、制御盤は解析した後に第２モータに制御指令を送信し、トリガスイッチは制御回路に指令を送信し、制御盤は解析した後に密封機構に制御指令を送信し、密封機構は密封した後に、制御盤は第１モータに制御指令を送信する。
【０００５】
前記密封機構は第１ベルト、第３モータ、第２ベルト、第４モータ、横方向レバー、縦方向レバー、第１案内レバー、第２案内レバー、電気加熱部材を含み、前記第３モータ及び第４モータは、それぞれごみ箱に固定して接続し、第１案内レバーは横方向レバーに摺接し、第２案内レバーは縦方向レバーに摺接し、前記第３モータは第１ベルトにより横方向レバーを伝動して第１案内レバーに沿ってリニア移動させ、前記第４モータは第２ベルトにより縦方向レバーを伝動して第２案内レバーに沿ってリニア移動させ、電気加熱部材は、横方向レバーや、縦方向レバー、ごみ箱に設けられている。
【０００６】
前記縦方向レバーには摺動溝が設けられ、前記横方向レバーの一端が摺動溝内に設けられている。
【０００７】
前記電気加熱部材はボックス本体に設けられ、前記横方向レバーの電気加熱部材に対応する位置には耐熱布が設けられている。
【０００８】
前記横方向レバーの一端には第１案内レバーを套設するための第１貫通孔が設けられている。
【０００９】
前記縦方向レバーの一端には第２案内レバーを套設するための第２貫通孔が設けられている。
【００１０】
前記横方向レバーには、第１ベルトを取り付けるための係合溝が設けられ、前記第１ベルトには第１鋸歯が設けられ、前記係合溝には第２鋸歯が設けられ、前記第１鋸歯と第２鋸歯とは互いに噛合する。
【００１１】
前記第３モータの出力軸には、第１鋸歯にマッチングする第３鋸歯が設けられている。
【００１２】
前記縦方向レバーには、第２ベルトを取り付けるための係合溝が設けられ、前記第２ベルトには第４鋸歯が設けられ、前記係合溝には第５鋸歯が設けられ、前記第４鋸歯と第５鋸歯とは互いに噛合する。
【００１３】
さらに、マイクロスイッチを含み、前記横方向レバー及び／又は縦方向レバーが移動ストロークにおいてマイクロスイッチに触れる。
【００１４】
前記ボックス本体の側壁には通気孔が設けられ、通気孔にはファンが設けられている。
【００１５】
前記ごみ袋は、１つの袋底のみを有し、ごみ袋の側壁は、延伸して、フレームに重畳して収容されている。
【考案の効果】
【００１６】
本考案は、既存技術に比べて、以下のメリット及び効果を有する。
【００１７】
１、本考案は、使用するとき、手動でごみ袋を套設する必要がなく、ごみをいっぱいに入れた後に自動的にパッケージして密封することができ、自動化程度が高く、使用が非常に便利である。
【００１８】
２、本考案は、横方向レバー及び縦方向レバーがそれぞれ、横方向及び縦方向にリニア移動することによりごみ袋の口を絞り、絞り効果が比較的よく、かつ電気加熱部材により口を絞った後のごみ袋をヒートシーリングし、既存技術に比べて、手動でごみ袋を密封する必要がなく、操作がより衛生的、便利である。
【図面の簡単な説明】
【００１９】
【図１】本実施例の構成模式図である。
【図２】本実施例の断面構成模式図である。
【図３】本実施例の電気制御の模式図である。
【図４】本実施例に係る密封機構の構成模式図である。
【考案を実施するための形態】
【００２０】
以下、図面を結び合わせて、かつ実施例により本考案をさらに詳しく説明したが、以下の実施例は、本考案を解釈するためのものであり、本考案は、以下の実施例に限定されていない。
【実施例】
【００２１】
実施例１
図１乃至図４に示すように、本実施例に係るインテリジェントごみ箱は、ボックス本体１、フレームカバー１１、ボックスカバー１２、密封機構４、第１モータ２１、第２モータ２２、制御盤２３、センサ２４、スイッチ２５を含み、前記ボックス本体１はフレームカバー１１に回動に設置され、第１モータ２１はフレームカバー１１を駆動して回動させ、ボックスカバー１２はフレームカバー１１に回動に設置され、第２モータ２２はボックスカバー１２を駆動し、ごみ袋１３はフレームカバー１１に設けられ、前記ごみ袋１３は、袋口がフレームカバー１１により支持され、袋体がボックス本体１に伸びこむ。前記密封機構４はボックス本体１に設けられ、ごみ袋１３を密封し、前記密封機構４、スイッチ２５、第１モータ２１、第２モータ２２、センサ２４は、それぞれ制御盤２３に電気接続し、センサ２４は、外界信号を検出し、かつ検出情報を制御盤２３に伝送し、制御盤２３は解析した後に第２モータ２２に制御指令を送信する。トリガスイッチ２５は制御回路に指令を送信し、制御盤２３は解析した後に密封機構４に制御指令を送信し、密封機構４は密封した後に、制御盤２３は第１モータ２１に制御指令を送信する。制御盤２３は、シングルチップマイクロコンピュータと周辺回路を含み、好ましくは、センサ２４は、赤外線センサ２４であり、インテリジェントごみ箱が使用するとき、 赤外線センサ２４は使用者がごみを投入する必要があると検出したとき、第２モータ２２は、ボックスカバー１２を駆動して開け、ごみを投入した後、ボックスカバー１２が閉める。ごみをいっぱいに入れた後、使用者がスイッチ２５をトリガし、密封機構４はごみ袋１３を密封し、その後に第１モータ２１はフレームカバー１１を駆動して開け、使用者が密封したごみ袋１３を取り出すことができ、フレームカバー１１は閉めた後に再びごみを投入することができ、再び袋を套接する必要がなく、使用が非常に便利であり、衛生的である。
【００２２】
本実施例に係る密封機構４は、第１ベルト４ー１、第３モータ４ー１１、第２ベルト４ー２、第４モータ４ー２１、横方向レバー４ー５、縦方向レバー４ー３、第１案内レバー４ー１２、第２案内レバー４ー２２、電気加熱部材４ー４１を含み、前記第３モータ４ー１１及び第４モータ４ー２１は、それぞれ、ごみ箱のボックス本体１又はフレームカバー１１に固定して接続し、第１案内レバー４ー１２は横方向レバー４ー５に摺接する。第２案内レバー４ー２２は縦方向レバー４ー３に摺接する。前記第３モータ４ー１１は第１ベルト４ー１により横方向レバー４ー５を伝動して第１案内レバー４ー１２に沿ってリニア移動させ、前記第４モータ４ー２１は第２ベルト４ー２により縦方向レバー４ー３を伝動して第２案内レバー４ー２２に沿ってリニア移動させる。電気加熱部材４ー４１は横方向レバー４ー５や、縦方向レバー４ー３、ごみ箱に設けられている。
【００２３】
好ましくは、本実施例に係る縦方向レバー４ー３には摺動溝４ー３２が設けられ、前記横方向レバー４ー５の一端が摺動溝４ー３２内に設けられている。
【００２４】
好ましくは、本実施例に係る電気加熱部材４ー４１はボックス本体１に設けられ、前記横方向レバー４ー５の電気加熱部材４ー４１に対応する位置には耐熱布が設けられている。
【００２５】
好ましくは、本実施例に係る横方向レバー４ー５の一端には第１案内レバー４ー１２を套設するための第１貫通孔が設けられている。
【００２６】
好ましくは、本実施例に係る縦方向レバー４ー３の一端には第２案内レバー４ー２２を套設するための第２貫通孔が設けられている。
【００２７】
本実施例に係る横方向レバー４ー５には、第１ベルト４ー１を取り付けるための係合溝が設けられている。前記第１ベルト４ー１には第１鋸歯が設けられ、前記係合溝には第２鋸歯が設けられ、前記第１鋸歯と第２鋸歯とは互いに噛合する。
【００２８】
本実施例に係る第３モータ４ー１１の出力軸には、第１鋸歯にマッチングする第３鋸歯が設けられている。
【００２９】
本実施例に係る縦方向レバー４ー３には、第２ベルト４ー２を取り付けるための係合溝が設けられ、前記第２ベルト４ー２には第４鋸歯が設けられ、前記係合溝には第５鋸歯が設けられ、前記第４鋸歯と第５鋸歯とは互いに噛合する。
【００３０】
本実施例は、さらに、マイクロスイッチ４ー３４を含み、前記横方向レバー４ー５及び／又は縦方向レバー４ー３は、移動ストロークにマイクロスイッチ４ー３４に触れる。横方向レバー４ー５と縦方向レバー４ー３が線形変位する過程においてマイクロスイッチ３４に触れることにより、マイクロスイッチ４ー３４は、トリガされて制御信号を発生し、該制御信号により第３モータ４ー１１及び／又は第４モータ４ー２１の運転状態を調整することができ、運転状態は、モータの起動／停止、正回転／逆回転を含む。
【００３１】
本実施例に係る前記ボックス本体１の側壁には通気孔が設けられ、通気孔にはファン６が設けられている。ファン６は、空気を吸い込み、ごみ袋１３が下へ吸引され、ボックス本体１に付着される。
【００３２】
本実施例に係るごみ袋１３は、１つの袋底のみを有し、ごみ袋１３の側壁は延伸して、フレームに重畳して収容されている。
【００３３】
本明細書に記載の上記内容は、本考案の例示的説明である。当業者は、説明した具体的な実施例に対して様々な修正又は補充を行い、或いは類似する方式で置換することができ、本考案の明細書の内容から脱離し、或いは本請求の範囲に定義された範囲を逸脱しない限り、本考案の保護範囲に含まれる。
【符号の説明】
【００３４】
１  ボックス本体
１１  フレームカバー
１２  ボックスカバー
４  密封機構
２１  第１モータ
２２  第２モータ
２３  制御盤
２４  センサ
２５  スイッチ
４ー１  第１ベルト
４ー１１  第３モータ
４ー２  第２ベルト
４ー２１  第４モータ
４ー５  横方向レバー
４ー３  縦方向レバー
４ー１２  第１案内レバー
４ー２２  第２案内レバー
４ー４１  電気加熱部材
４ー３２  摺動溝
４ー３４  マイクロスイッチ
６  ファン
１３  ごみ袋
【図１】
0003220441.tif 000003
【図２】
0003220441.tif 000004
【図３】
0003220441.tif 000005
【図４】
0003220441.tif 000006